(57)【要約】【課題】避難所用間仕切の保管スペースを抑えることができ、かつ平常時においても使用することができるパネル体を利用した避難所用間仕切を提供すること。【解決手段】略四角形状をなす複数のパネル体５を有し、災害発生時に避難所１にて複数のパネル体５を連設して間仕切を形成する避難所用間仕切３であって、各パネル体５は、中空部５ｄを有する合成樹脂製の板部材となっており、各パネル体５の少なくとも一方の面には、パネル体５を避難所１の壁面Ｗに着脱可能に取り付けるための取付部５ｅが設けられる。【選択図】図３
2011032742.tif 000002
【特許請求の範囲】
【請求項１】
略四角形状をなす複数のパネル体を有し、災害発生時に避難所にて前記複数のパネル体を連設して間仕切を形成する避難所用間仕切であって、
前記各パネル体は、中空部を有する合成樹脂製の板部材となっており、該各パネル体の少なくとも一方の面には、該パネル体を前記避難所の壁面に着脱可能に取り付けるための取付部が設けられることを特徴とする避難所用間仕切。
【請求項２】
前記取付部が前記パネル体の縁辺に設けられ、前記災害発生時に、床面に立設される支柱が前記パネル体の縁辺を保持する保持部を有し、該保持部に前記取付部を着脱可能に取り付けることを特徴とする請求項１に記載の避難所用間仕切。
【請求項３】
前記パネル体が所定の配色に色付けされており、前記災害発生時に、前記避難所の複数の区画毎に前記配色を統一して前記パネル体を設置できるようになっていることを特徴とする請求項１または２に記載の避難所用間仕切。
【請求項４】
前記パネル体には、前記壁面と対向する面に、避難所用間仕切の組立方法または避難所に関する情報が記載されることを特徴とする請求項１ないし３に記載の避難所用間仕切。
【発明の詳細な説明】
【技術分野】
【０００１】
本発明は、略四角形状をなす複数のパネル体を有し、災害発生時に避難所にて前記複数のパネル体を連設して間仕切を形成する避難所用間仕切に関する。
【背景技術】
【０００２】
従来、複数枚の段ボール製の間仕切板（パネル体）を上下方向を向く折目を介して左右一対に形成される矩形状の側板と、これら側板の左右端縁で上下方向を向く折目を介して形成される端板と、から構成した避難所用間仕切がある。この避難所用間仕切では、間仕切板を両側板間の折目で折り曲げることで、平面視で略L字状に形成した状態で間仕切板同士を端板で重ね合わせ、重なった連結部に連結材を挿通させることで、平面視で略コ字状の囲いを形成し、地震等の災害時に避難所として使用される学校の体育館等で被災者のプライバシーを保護するために使用できるようにしたものがある（例えば、特許文献１参照）。
【先行技術文献】
【特許文献】
【０００３】
【特許文献１】特開２００６−３２８８３４号公報（第３頁、第２図）
【発明の概要】
【発明が解決しようとする課題】
【０００４】
しかしながら、特許文献１に記載の避難所用間仕切にあっては、避難用間仕切は地震等の災害の発生時にのみにしか使用しないため、災害が発生していない平常時には、使用することが無く、かつ避難所用間仕切の保管スペースが別途必要になるため、長年、災害が発生しない地域などには、導入が進まないという問題がある。そこで、平常時に使用している物品を避難所用間仕切として利用して災害時に活用したいという要望がある。
【０００５】
本発明は、このような問題点に着目してなされたもので、避難所用間仕切の保管スペースを抑えることができ、かつ平常時においても使用することができるパネル体を利用した避難所用間仕切を提供することを目的とする。
【課題を解決するための手段】
【０００６】
前記課題を解決するために、本発明の避難所用間仕切は、
略四角形状をなす複数のパネル体を有し、災害発生時に避難所にて前記複数のパネル体を連設して間仕切を形成する避難所用間仕切であって、
前記各パネル体は、中空部を有する合成樹脂製の板部材となっており、該各パネル体の少なくとも一方の面には、該パネル体を前記避難所の壁面に着脱可能に取り付けるための取付部が設けられることを特徴としている。
この特徴によれば、地震等の災害が発生していない平常時には、パネル体を避難所の壁面に取り付けておくことで、パネル体を避難所の壁面の内装材として使用可能となり、避難所用間仕切の保管スペースを別途設ける必要がなくなるばかりか、災害発生時に、避難所用間仕切を遠方から搬送する手間も必要なくなり、災害発生直後に、短時間で避難所用間仕切を避難所に設置することができる。また、パネル体が中空部を有する合成樹脂製の板部材となっているため、平常時に、パネル体を壁面のクッション材として利用して、平常時の避難所の壁面に、物が衝突して壁面が破損してしまうことを防止でき、かつ避難所の壁面の遮音効果や保温効果を高めることができるばかりか、パネル体の軽量化を図ることができ、災害の発生時に、避難所用間仕切の組立作業を容易に行うことができる。
【０００７】
本発明の避難所用間仕切は、
前記取付部が前記パネル体の縁辺に設けられ、前記災害発生時に、床面に立設される支柱が前記パネル体の縁辺を保持する保持部を有し、該保持部に前記取付部を着脱可能に取り付けることを特徴としている。
この特徴によれば、支柱によりパネル体を床面に立設させることができ、かつパネル体を避難所の壁面に取り付ける取付部を利用して、パネル体の縁辺を支柱の保持部に着脱することができ、別途、支柱にパネル体を取り付けるための取付手段等を設けなくて済むようになる。
【０００８】
本発明の避難所用間仕切は、
前記パネル体が所定の配色に色付けされており、前記災害発生時に、前記避難所の複数の区画毎に前記配色を統一して前記パネル体を設置できるようになっていることを特徴としている。
この特徴によれば、災害発生時に、避難所の使用者はパネル体の色を認識することで、避難所における自分の区画を容易に認識することができ、自分が使用する避難所用間仕切の位置を容易に発見することができる。
【０００９】
本発明の避難所用間仕切は、
前記パネル体には、前記壁面と対向する面に、避難所用間仕切の組立方法または避難所に関する情報が記載されることを特徴としている。
この特徴によれば、使用者が避難所用間仕切を組み立てた経験を有していなくとも、避難所用間仕切の組立方法または避難所に関する情報が記載されたパネル体の記載面を視認して、避難所用間仕切の組立方法を把握したり、避難所に関する事項を把握したりすることができ、かつ平常時には、パネル体の記載面が避難所の壁面に対向された状態となっており、避難所の壁面の美観を保つことができる。
【図面の簡単な説明】
【００１０】
【図１】実施例における避難所に設けられた避難所用間仕切を示す概略図である。
【図２】避難所用間仕切を示す斜視図である。
【図３】避難所の壁面と避難所用間仕切を示す側面図である。
【図４】（ａ）は、パネル体の正面図であり、（ｂ）は、パネル体の背面図である。
【図５】パネル体を避難所の壁面に取り付ける状態を示す縦断側面図である。
【図６】パネル体を支柱に取り付ける状態を示す斜視図である。
【発明を実施するための形態】
【００１１】
本発明に係る避難所用間仕切を実施するための形態を実施例に基づいて以下に説明する。
【実施例】
【００１２】
実施例に係る避難所用間仕切につき、図１から図６を参照して説明する。以下、図１の紙面下方側を避難所用間仕切の正面側（前方側）とし、図３の紙面右側を避難所用間仕切の正面側（前方側）とし、図４（ａ）の紙面手前側をパネル体の正面側（前方側）とし、図４（ｂ）の紙面手前側をパネル体の背面側（後方側）とし、図５の紙面右側をパネル体の正面側（前方側）として説明する。
【００１３】
図１の符号１は、本発明の適用される避難所である。この避難所１は、例えば、地震等の災害発生時に、学校の体育館等を転用した建造物である。図１及び図２に示すように、この避難所１内には、災害で被災した被災者に対して後述する避難所用ブース２を提供するための避難所用間仕切３が複数配置され、各避難所用間仕切３には、被災者が居住するための避難所用ブース２が左右方向に複数形成されている。
【００１４】
これら各避難所用ブース２間は、後述するパネル体５によって平面視で櫛歯状に仕切られている。また、各避難所用ブース２の正面側には、開口４が形成されており、被災者はこの開口４から避難所用ブース２に出入可能となっている。更に、避難所用間仕切３は、避難所１内でそれぞれを１つの区画として前後方向に連設されており、前後の避難所用間仕切３間は、被災者が通行可能な通路Ｒに形成されている。
【００１５】
図２及び図３に示すように、これら避難所用間仕切３は、正面視で略四角形状をなす複数のパネル体５と、これらパネル体５を保持する複数の支柱６と、から主に構成されている。本実施例におけるパネル体５と支柱６とは、床面Ｆからの所定の高さ寸法Ｌで立設している。
【００１６】
尚、本実施例における高さ寸法Ｌは、平均的な身長の被災者の半身が隠れる程度の約９０センチに設計されているが、避難所用ブース２内での被災者のプライバシーが確保することができ、かつ避難所用間仕切３を組み立てる際に不自由がなければ、パネル体５と支柱６との高さ寸法は特に制限しない。
【００１７】
これらパネル体５の構造は、図４から図５に示すように、正面板５ａと、正面板５ａと略同形に形成され、正面板５ａの背面側に配置された背面板５ｂと、正面板５ａと背面板５ｂとの間に配置される中芯板５ｃと、から構成されている。
【００１８】
これら正面板５ａと背面板５ｂと中芯板５ｃとは、ポリプロピレン等の合成樹脂製の板部材である。このうち中芯板５ｃは、縦断側面視で正面板５ａと背面板５ｂとの間で波状に形成されているため、中芯板５ｃと正面板５ａとの間、及び中芯板５ｃと背面板５ｂとの間には、上下方向に複数の中空部５ｄが形成されており、パネル体５の軽量化がなされている。このようにパネル体５はプラスチックダンボール（プラダン）として構成されている。
【００１９】
図３及び図５に示すように、避難所１の壁面Ｗには、上下方向にフック７が並設されており、これらフック７にパネル体５を係止させることによって、パネル体５を壁面Ｗに対して着脱可能に取り付けることができるようになっている。
【００２０】
具体的には、図４から図５に示すように、パネル体５の縁辺であるパネル体５の正面の四隅には、正面視で円形の挿通孔５ｅが形成されている。この挿通孔５ｅの上部には、挿通孔５ｅの直径よりも幅狭に左右方向の長さ寸法が形成され、上方に向けて切り欠かれた切欠部５ｆが形成されている。つまり、これら挿通孔５ｅと切欠部５ｆとは、併せて正面視で所謂ダルマ穴状に形成されている。尚、これら挿通孔５ｅと切欠部５ｆとは、パネル体５の正面から背面にかけて貫通して形成されている。
【００２１】
一方、フック７は、壁面Ｗから正面側に向けて水平に延設された水平部７ａと、水平部７ａの先端から上方に向けて垂直に延設された垂直部７ｂと、から構成されている。
【００２２】
前述したように構成したパネル体５をフック７に係止させるには、先ず、パネル体５を壁面Ｗに対して正面側から近接させ、背面側から挿通孔５ｅにフック７を挿通させる。そして、パネル体５の背面が壁面Ｗに当接したら、パネル体５を下方に落とし込むことでフック７の水平部７ａを切欠部５ｆ内に挿通させる。
【００２３】
このとき、パネル体５の正面側には、垂直部７ｂが配置されるため、この垂直部７ｂによってパネル体５の正面側への移動が規制されており、パネル体５がフック７に係止される。つまり、挿通孔５ｅは、本発明における取付部を構成している。
【００２４】
このように、各フック７にパネル体５を係止させることで、壁面Ｗの正面をパネル体５で覆うことができるため、パネル体５は、地震等の災害が発生していない平常時において、避難所１の内装材として使用できるようになっており、パネル体５を収容するための保管スペースを別途用意する必要がなくなっている。
【００２５】
尚、支柱６に関しては、保管スペースを別途用意する必要があるが、パネル体５を収容するための保管スペースと比べて小さい保管スペースで済むようになっており、避難所用間仕切３を効率的に保管しておくことができる。
【００２６】
尚、これらパネル体５は、複数枚毎に異なる所定の配色に色付けされており、特に図示しないが、これらパネル体５を配色毎に壁面Ｗに取り付けることで、壁面Ｗを見映え良くパネル体５で覆うことができる。
【００２７】
図４（ｂ）に示すように、パネル体５の背面（背面板５ｂ）には、避難所用間仕切３の組立方法または避難所１に関する情報が記載されている情報部５ｇ（記載面）が設けられている。
【００２８】
尚、この情報部５ｇに記載されている避難所１に関する情報とは、例えば、避難所１内の見取り図等である。この情報部５ｇは、前述したように、パネル体５が避難所１の壁面Ｗに取り付けられることで壁面Ｗと対向するため、災害が発生していない平常時には、隠蔽されている。
【００２９】
図６に示すように、支柱６は、水平方向の四方から支柱６の中心に向かって本発明における保持部としての保持溝６ａが形成されている。これら保持溝６ａは、支柱６の上下方向の全長に亘って形成されており、パネル体５の縁辺を保持することができる。
【００３０】
また、支柱６における保持溝６ａの部位には、保持溝６ａを挟んで一対の貫通孔６ｂ，６ｃが形成されている。これら貫通孔６ｂ，６ｃは、パネル体５の縁辺が保持溝６ａに保持される際に、挿通孔５ｅと同一軸線上となるように形成されている。
【００３１】
以上のように構成されたパネル体５と支柱６とによって、地震等の災害の発生時に避難所用間仕切３を組み立てるには、先ず、避難所１の壁面Ｗからパネル体５を取り外す。そして、取り外したパネル体５を情報部５ｇに記載されている組立方法の手順に従って、支柱６によって保持させる。このとき、支柱６とパネル体５を連設することによって、図２に示すように１つの避難所用間仕切３内に複数の避難所用ブース２を構成する。
【００３２】
尚、図６に示すように、パネル体５を支柱６に保持する際には、パネル体５縁辺を保持溝６ａに挿通し、同一軸線上に配置された貫通孔６ｂ，６ｃと挿通孔５ｅとに、側方からクリップ８ａが挿通して、この貫通孔６ｂ，６ｃと挿通孔５ｅとを、貫通したクリップ８ａの先端部に環状の挿嵌部材８ｂを挿嵌させるようにする。
【００３３】
尚、前述したように、避難所用間仕切３を組み立てる際には、避難所用間仕切３を同一の配色で統一したパネル体５によって組み立てることで、区画毎に異なる配色の避難所用間仕切３を構成することができる。
【００３４】
以上、本実施例における避難所用間仕切３にあっては、各パネル体５は、中空部５ｄを有する合成樹脂製の板部材となっており、各パネル体５の少なくとも一方の面には、パネル体５を避難所１の壁面Ｗに着脱可能に取り付けるための挿通孔５ｅ及び切欠部５ｆが設けられるので、地震等の災害が発生していない平常時には、パネル体５を避難所１の壁面Ｗに取り付けておくことで、パネル体５を避難所１の壁面Ｗの内装材として使用可能となり、避難所用間仕切３の保管スペースを別途設ける必要がなくなるばかりか、災害発生時に、避難所用間仕切３を遠方から搬送する手間も必要なくなり、災害発生直後に、短時間で避難所用間仕切３を避難所に設置することができる。また、パネル体５が中空部５ｄを有する合成樹脂製の板部材となっているため、平常時に、パネル体５を壁面Ｗのクッション材として利用して、平常時の避難所１の壁面Ｗに、物が衝突して壁面Ｗが破損してしまうことを防止でき、かつ避難所１の壁面Ｗの遮音効果や保温効果を高めることができるばかりか、パネル体５の軽量化を図ることができ、災害の発生時に、避難所用間仕切３の組立作業を容易に行うことができる。
【００３５】
また、挿通孔５ｅ及び切欠部５ｆがパネル体５の縁辺に設けられ、災害発生時に、床面Ｆに立設される支柱６がパネル体５の縁辺を保持する保持溝６ａを有し、保持溝６ａに挿通孔５ｅ及び切欠部５ｆを含むパネル体５の縁辺を着脱可能に取り付けることで、支柱６によりパネル体５を床面Ｆに立設させることができ、かつパネル体５を避難所１の壁面Ｗに取り付ける挿通孔５ｅ及び切欠部５ｆを利用して、パネル体５の縁辺を支柱６の保持溝６ａに着脱することができ、別途、支柱６にパネル体５を取り付けるための取付手段等を設けなくて済むようになる。
【００３６】
また、パネル体５が所定の配色に色付けされており、災害発生時に、避難所１の複数の区画毎に配色を統一してパネル体５を設置できるようになっているので、災害発生時に、避難所１の使用者はパネル体５の色を認識することで、避難所１における自分の区画（避難所用間仕切３）を容易に認識することができ、自分が使用する避難所用間仕切３の位置を容易に発見することができる。
【００３７】
また、パネル体５には、壁面Ｗと対向する面に、避難所用間仕切３の組立方法または避難所１に関する情報が記載されることで、使用者が避難所用間仕切３を組み立てた経験を有していなくとも、避難所用間仕切３の組立方法または避難所１に関する情報が記載されたパネル体５の記載面（背面板５ｂの背面）を視認して、避難所用間仕切３の組立方法を把握したり、避難所１に関する事項を把握したりすることができ、かつ平常時には、パネル体５の記載面が避難所１の壁面Ｗに対向された状態となっており、避難所１の壁面Ｗの美観を保つことができる。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、パネル体５の四隅に挿通孔５ｅと切欠部５ｆとを形成し、これら挿通孔５ｅと切欠部５ｆを用いてパネル体５を避難所１の壁面Ｗに設けられたフック７に係止させることでパネル体５の壁面Ｗへの取り付けを行ったが、パネル体５の背面の四隅と壁面Ｗとに面ファスナーを貼り付け、これら面ファスナーを互いに張り合わせることでパネル体５を壁面Ｗに取り付けてもよい。
【００４０】
また、前記実施例では、挿通孔５ｅと切欠部５ｆとをパネル体５の前後方向に貫通して形成したが、パネル体５の背面側から正面側に向けて係止穴を凹設し、この係止穴にフック７を挿通させることでパネル体５を壁面Ｗに係止させるようにしてもよい。
【００４１】
また、前記実施例では、複数のパネル体５毎に異なる所定の配色によって色付けを行い、避難所用間仕切３を組み立てる際に、各避難所用間仕切３を同一の配色のパネル体５で統一して組み立てたが、複数のパネル体５毎に異なる幾何学模様や番号等を描き込み、各避難所用間仕切３を同一の幾何学模様または番号等毎のパネル体５で統一して組み立ててもよい。
【符号の説明】
【００４２】
１                避難所
３                避難所用間仕切
５                パネル体
５ｄ              中空部
５ｅ              挿通孔（取付部）
５ｆ              切欠部
５ｇ              情報部
６                支柱
６ａ              保持溝（保持部）
【図１】
2011032742.tif 000003
【図２】
2011032742.tif 000004
【図３】
2011032742.tif 000005
【図４】
2011032742.tif 000006
【図５】
2011032742.tif 000007
【図６】
2011032742.tif 000008